(57)【特許請求の範囲】
【請求項１】
表示手段に表示される機能選択アイコンを、ユーザーが入力手段で指定することで、指定された機能選択アイコンに対応する処理が実行されるカラオケ装置において、
ネットワークに接続することで各種情報を受信可能な通信手段と、
履歴情報の受信対象とされる顧客を登録するユーザー登録処理と、
複数の機能選択アイコンを表示可能な複数のページ画面を切り換えて表示手段に表示させるページ切換処理と、
ユーザー登録処理で登録された顧客による機能選択アイコンの指定回数を記録した履歴情報を、通信手段で受信する受信処理と、
受信処理で受信した履歴情報に基づいて、機能選択アイコンを拡大するアイコン拡大処理と、
機能選択アイコンの拡大に応じて、拡大した機能選択アイコンと同じページ画面内に含まれる機能選択アイコンを他のページ画面に移動させるアイコン移動処理と、を実行する制御手段と、を備えることを特徴とする
カラオケ装置。
【請求項２】
ユーザー登録処理は、ネットワーク上の所定範囲のユーザーを、履歴情報の受信対象とされるユーザーとして登録可能とすることを特徴とする
請求項１に記載のカラオケ装置。
【請求項３】
アイコン拡大処理は、履歴情報中、カラオケ装置が設置される店舗で使用したときの履歴情報のみに基づいて、機能選択アイコンを拡大することを特徴とする
請求項１または請求項２に記載のカラオケ装置。
【請求項４】
表示手段に表示される機能選択アイコンを、ユーザーが入力手段で指定することで、指定された機能選択アイコンに対応する処理を実行するアイコン指定処理と、
複数の機能選択アイコンを表示可能な複数のページ画面を切り換えて表示手段に表示させるページ切換処理と、
履歴情報の受信対象とされる顧客を登録するユーザー登録処理と、
ユーザー登録処理で登録された顧客による機能選択アイコンの指定回数を記録した履歴情報を、ネットワークに接続された通信手段で受信する受信処理と、
受信処理で受信した履歴情報に基づいて、当該機能選択アイコンを拡大するアイコン拡大処理と、
機能選択アイコンの拡大に応じて、拡大した機能選択アイコンと同じページ画面内に含まれる機能選択アイコンを他のページ画面に移動させるアイコン移動処理と、コンピュータに実行させることを特徴とする
カラオケ装置用プログラム。
【発明の詳細な説明】
【技術分野】
【０００１】
本発明は、機能選択アイコンを選択することで、選択された機能選択アイコンに対応する処理を実行することのできる情報処理装置及び情報処理プログラムに関するものである。
【背景技術】
【０００２】
現在、パーソナルコンピュータや携帯情報端末などの各種情報装置では、アイコンを選択することで、各種プログラムを実行するユーザーインターフェイスが一般的となっている。このような各種情報装置において、画面に表示されるアイコンは、ユーザー自身によって変更可能なレイアウトで表示させることが可能とされている。
【０００３】
特許文献１には、このようなアイコンを使用するユーザーインターフェイスについて、使用頻度の高い順にアイコンの配置変更を行うことで、使い易いアイコンメニューを作成することが開示されている。
【先行技術文献】
【特許文献】
【０００４】
【特許文献１】特許第３２２３９８７号公報
【発明の概要】
【発明が解決しようとする課題】
【０００５】
しかしながら、このようなアイコンを使用するユーザーインターフェイスでは、選択すべきアイコンが増えた場合、画面内に多数のアイコンが並んで表示されることとなる。通常、アイコンの大きさは所定の大きさに統一されており、そのようなさまざまなアイコンが並んでいる中から、自分が良く使用するものや大切なものを見つけ出すのには、一つ一つアイコンを確認しながら見つけなければならず、時間も掛かり煩雑となっている。
【課題を解決するための手段】
【００１１】
また本発明に係るカラオケ装置は、
表示手段に表示される機能選択アイコンを、ユーザーが入力手段で指定することで、指定された機能選択アイコンに対応する処理が実行されるカラオケ装置において、
ネットワークに接続することで各種情報を受信可能な通信手段と、
履歴情報の受信対象とされる顧客を登録するユーザー登録処理と、
複数の機能選択アイコンを表示可能な複数のページ画面を切り換えて表示手段に表示させるページ切換処理と、
ユーザー登録処理で登録された顧客による機能選択アイコンの指定回数を記録した履歴情報を、通信手段で受信する受信処理と、
受信処理で受信した履歴情報に基づいて、機能選択アイコンを拡大するアイコン拡大処理と、
機能選択アイコンの拡大に応じて、拡大した機能選択アイコンと同じページ画面内に含まれる機能選択アイコンを他のページ画面に移動させるアイコン移動処理と、を実行する制御手段と、を備えることを特徴とする。
【００１２】
さらに本発明に係るカラオケ装置において、
アイコン拡大処理は、履歴情報中、カラオケ装置が設置される店舗で使用したときの履歴情報のみに基づいて、機能選択アイコンを拡大することを特徴とする。
【００１３】
さらに本発明に係るカラオケ装置において、
ユーザー登録処理は、ネットワーク上の所定範囲のユーザーを、履歴情報の受信対象とされるユーザーとして登録可能とすることを特徴とする。
【００１４】
また本発明に係るカラオケ装置用プログラムは、
表示手段に表示される機能選択アイコンを、ユーザーが入力手段で指定することで、指定された機能選択アイコンに対応する処理を実行するアイコン指定処理と、
複数の機能選択アイコンを表示可能な複数のページ画面を切り換えて表示手段に表示させるページ切換処理と、
履歴情報の受信対象とされる顧客を登録するユーザー登録処理と、
ユーザー登録処理で登録された顧客による機能選択アイコンの指定回数を記録した履歴情報を、ネットワークに接続された通信手段で受信する受信処理と、
受信処理で受信した履歴情報に基づいて、当該機能選択アイコンを拡大するアイコン拡大処理と、
機能選択アイコンの拡大に応じて、拡大した機能選択アイコンと同じページ画面内に含まれる機能選択アイコンを他のページ画面に移動させるアイコン移動処理と、コンピュータに実行させることを特徴とする。
【発明の効果】
【００１５】
本発明の情報処理装置、または、情報処理プログラムによれば、機能選択アイコンの指定回数に応じて、機能選択アイコンの大きさが変わるため、ユーザーにとって効率よくアイコンを発見することが、可能となり、所望の処理を迅速に実行することが可能となる。その際、よく使用する機能選択アイコンを拡大することで操作性の向上を図ることが可能となる。さらに、機能選択アイコンの大きさが変更された場合においても、複数のページ画面にわたって表示される多数の機能選択アイコンのレイアウトを自動で変更することが可能となる。
【００１６】
さらに、カラオケのリモコン装置のような情報処理装置の場合、複数人で一つの情報処理装置を共有する場合、一人あたりの使用可能時間が限られたものとなる。また、通常手で保持することを目的とされた小型のリモコン端末では、ディスプレイの表示領域が制限されることとなる。本発明をこのような情報処理装置としてのカラオケ用リモコン装置に適用することで、所望する機能選択アイコンに要する時間の短縮は、カラオケ機器の利用を格段に促進させることになる。
【図面の簡単な説明】
【００１７】
【図１】本発明の実施形態に係るカラオケシステムのネットワーク構成を示す図
【図２】本発明の実施形態に係るカラオケシステムを示す図
【図３】本発明の実施形態に係るトップ画面を示す図
【図４】本発明の実施形態に係るユーザー情報を示す図
【図５】本発明の実施形態に係るユーザーに対するサービス処理を示す図
【図６】本発明の実施形態に係るアクティブユーザー画面を示す図
【図７】本発明の実施形態に係るページ画面を説明するための図
【図８】本発明の実施形態に係る履歴選曲画面を示す図
【図９】本発明の実施形態に係る楽曲確認画面を示す図
【図１０】本発明の実施形態に係るレイアウト変更処理を示すフロー図
【図１１】本発明の実施形態に係るレイアウト変更処理を説明するための図
【図１２】本発明の実施形態に係る機能選択アイコンの各種形態（大きさ）を示す図
【図１３】本発明の実施形態に係るレイアウト変更処理を説明するための図
【図１４】本発明の実施形態に係るコマンダの正面図
【図１５】本発明の他の実施形態に係るコマンダの構成を示すブロック図
【図１６】本発明の実施形態に係る管理者メニュー画面を示す図
【図１７】本発明の他の実施形態に係るレイアウト変更処理を示すフロー図
【図１８】本発明の他の実施形態に係るレイアウト変更処理を説明するための図
【発明を実施するための形態】
【００１８】
では、本発明の情報処理装置、情報処理プログラムについて、カラオケシステム（特に、リモコン装置１のユーザーインターフェイス）に適用した場合の実施形態について説明する。なお、本発明の情報処理装置、情報処理プログラムについては、カラオケシステムに限らず、パーソナルコンピュータ、あるいは、携帯情報処理端末など各種情報処理装置、そして、情報処理装置にて実行される情報処理プログラムに適用することが可能である。
【００１９】
図１は、本発明の実施形態に係るカラオケシステムのネットワーク構成を示す図である。図中、カラオケシステムとしての主要構成は、カラオケ用ホスト５（サーバ装置）、店舗などに設置されるコマンダ２などにて構成される。コマンダ２は楽曲再生機能を有した
、いわゆるカラオケ装置であって、店舗内のＬＡＮ１００に接続されている。コマンダ２とカラオケ用ホスト５は、インターネットを介して接続され、新しく供給された楽曲情報やユーザー情報など、各種サービスに必要な情報の送受信を行う。本実施形態ではＶＰＮ（Ｖｉｒｔｕａｌ  Ｐｒｉｖａｔｅ  Ｎｅｔｗｏｒｋ）を介して接続されており、セキュリティに優れた通信を行うことが可能となっている。
【００２０】
店舗に設置されるコマンダ２は、リモコン装置１によりユーザーからの各種指示を受け付けることが可能となっている。また、リモコン装置１は表示画面を備え、ユーザーに対して各種情報を提供することも可能である。リモコン装置１は、ＬＡＮ１００上に設置されたアクセスポイント１１０ａを介してコマンダ２と無線接続される。図中に破線で示されるように、例えばコマンダ２ａにはリモコン装置１ａと１ｂが対応付けられ、ＬＡＮ１００ａを介して情報を送受信することが可能となっている。また、リモコン装置１とコマンダ２とは赤外線などを利用した近距離通信を行うことも可能である。
【００２１】
さらに、本実施形態のカラオケシステムでは、ユーザーに各種サービスを提供するためインターネット用ホスト６が設けられている。このインターネット用ホスト６は、ユーザーのパーソナルコンピュータ、携帯情報端末（携帯電話やＰＤＡなど）と接続され、これら機器を利用するユーザーに各種サービスを提供することができる。また、インターネット用ホスト６は、カラオケ用ホスト５とデータ共有する、例えば、カラオケ用ホスト５の第１記憶部５１と、インターネット用ホスト６の第２記憶部６１に記憶される各種データベースが同期することで連携を取ったサービスを提供することができる。
【００２２】
図２は、店舗に設置されているカラオケシステムの構成を示す図である。本実施形態におけるカラオケシステムは、コマンダ２（カラオケ装置）と、リモコン装置１にて構成されており、これらは、ＬＡＮ１００にて、無線、有線で互いに接続されている。
【００２３】
コマンダ２は、全体を統括制御する制御部３０を中心として機能し、主な機能として、楽曲演奏処理、映像表示処理、楽曲指定処理などを実行可能としている。楽曲演奏処理は、入力部２１やリモコン装置１にて、ユーザーにより指定された楽曲に対応する演奏情報をＭＩＤＩ音源２６などの音源部にて演奏させ、スピーカー４２から放音させる処理である。このとき、スピーカー４２からは歌唱用マイク４４から入力される音声も合わせて放音される。映像再生処理は、映像再生部２９にて各種映像情報、歌詞情報などを再生させ、モニタ４１を介した視覚情報をユーザーに提供する処理である。
【００２４】
楽曲指定処理は、ユーザーからの指定に基づいて楽曲を選択、予約するための処理である。本実施形態ではリモコン装置１と連携して実行することとなる。リモコン装置１の操作部１７から入力されたユーザーの指令は、赤外線通信部１９、２３、あるいは、ＬＡＮ１００を介してコマンダ２に伝達される。コマンダ２での処理結果は、リモコン装置１側の表示部１１に表示され、ユーザーは選曲のための各種情報を視認することが可能である。コマンダ２とリモコン装置１は、この楽曲指定処理に限らず、ユーザー個別のサービスを提供するためのログイン処理など各種処理を実行することが可能である。
【００２５】
本実施形態のコマンダ２には、カメラ４３が接続可能となっており、接続されたカメラ４３から歌唱者や同伴客の様子を撮影することが可能となっている。カメラ４１の映像を表示手段（例えば、モニタ４１）にてモニタする場合には、カメラ４３は、当該表示手段の上部など、表示手段の近傍に配置することが好ましい。ユーザーは、モニタ画像を鏡のように利用することが可能となる。なお、カメラ４３を複数設け、同時に、あるいは、切り換えて撮影することで映像情報を取得することとしても構わない。
【００２６】
図３は、本発明の実施形態に係るトップ画面、すなわち、リモコン装置１を起動した直
後の画面を示す図である。本実施形態では、リモコン装置１の表示部１１に表示を行うことで、リモコン装置１を操作するユーザーに対して各種情報を提供する。なお、リモコン装置１の操作部１７としては、カーソルキーなどの各種機械的なスイッチの他、表示部１１に表示されたボタン、アイコンなどを直接タッチして操作を行うタッチパネルを採用することができる。
【００２７】
本実施形態のカラオケシステムは、複数のユーザーがログインすることが可能となっている。ユーザーのログインに関する情報は画面上方に常時表示される。ログインしたユーザーの分身像（アバター）を表示するためのログインユーザー欄１０３が設けられている。なお、分身像としては、人、キャラクターを模した像の他、図形や記号など各種形態を採用することができる。
【００２８】
また、アカウントを有していないユーザーのためのゲストアイコン１０２、ユーザーを切り替えるためのユーザー切替スイッチ１０１が表示されている。ログインしたユーザーは、ログインユーザー欄１０３に表示される分身像を選択、あるいは、ユーザー切替スイッチ１０１を操作することで、自分のユーザー情報を利用した各種サービスを受けることが可能となる。また、アカウントを有していないユーザーは、ゲストアイコン１０２を操作することで、選曲など一般的なサービスを受けることが可能となっている。なお、ユーザーの切替の際には、パスワードなど認証を行うこととしてもよいが、認証を行うことなく簡易に切り替えることとしてもよい。
【００２９】
図４は、各ユーザー毎に記憶されたユーザー情報を説明するための図である。本実施形態では、ユーザー情報として、個人情報、マイうたテーブル、マイアーティストテーブル、履歴テーブルなど、ユーザーに関する各種情報を含んで構成される。特に、本実施形態では、当該ユーザーが使用するアプリケーション（以下「アプリ」という）に関するアプリ関連テーブルを有している。
【００３０】
ユーザー情報には、ユーザーがログインしてこれら情報を利用するためのユーザーＩＤ、パスワードが対応付けられている。個人情報には、ユーザー名（実際の名前に限ったものでなく、ニックネームであってもよい）、性別、年齢等を含んで構成されている。これら各種情報は、リモコン装置１、あるいは、ネットワークに接続されたパーソナルコンピュータ、携帯情報端末などにてログインして設定することができる。
【００３１】
マイうたテーブルは、ユーザーによって事前に登録された楽曲を示すテーブルであって、少なくとも楽曲を識別するための楽曲識別子を含んで構成されている。この他、歌唱した際に採点された最高点（採点情報）や、自分の歌唱音域に合わせるためのキー調整値などを登録しておいてもよい。ユーザーは、このマイうたテーブルを読み出すことで、事前に登録した楽曲を容易に選曲することが可能となる。
【００３２】
マイアーティストテーブルは、ユーザーによって事前に登録されたアーティスト（歌手）を示すテーブルであって、歌手識別子を含んで構成されている。ユーザーは、このマイアーティストテーブルを呼び出すことで、事前に登録したアーティストを読み出し、さらにデータベースを参照することで当該アーティストに関連する楽曲を読み出して選曲することが可能となる。
【００３３】
履歴テーブルは、ユーザーがこれまでに選曲した履歴が記載されたテーブルであって、楽曲識別子、歌唱日時、歌唱店舗（歌唱位置）、キー調整値、採点情報などを含んで構成されている。採点情報は、歌唱したときの採点手段による結果を示す情報であり、音程情報は歌唱したときのピッチ変更を示す情報である。
【００３４】
本実施形態では、この履歴テーブルに記録された楽曲を選曲することも可能となっている。ユーザーは履歴テーブルを用いた選曲を行うことで、過去に指定した楽曲を再度演奏させることが可能となっている。
【００３５】
さらに本実施形態では、ユーザー情報中にアプリ関連テーブルが含まれている。このアプリ関連テーブルは、プログラムにて構成され各種機能を実行するアプリケーションに関する各種情報を含んだテーブルであって、アプリ毎に、アプリＩＤ、アプリ用データ、使用ログ情報、レイアウト情報などを含んで構成される。
【００３６】
アプリＩＤは、アプリを指定するための識別情報であって、本実施形態ではコマンダ２に記憶しているアプリケーションを読み出して実行するための情報である。アプリ用データは、当該アプリで使用する各ユーザー毎のデータが記憶されている。アプリ実行時には、このアプリ用データを読み出すことで、前回の処理を継続するなど各ユーザーに対応した処理が可能となる。使用ログ情報は、当該アプリの使用履歴を記憶した情報であって、アプリの起動日時を含んで構成される。簡易にはアプリの指定回数としてもよい。レイアウト情報は、アプリに対応した機能選択アイコンをどのページ画面のどの位置に配置するか、また、機能選択アイコンの大きさなどを記憶した情報であって、その詳細は後述する。本実施形態では、このレイアウト情報に基づいて、リモコン装置１の表示部１１に機能選択アイコンが表示される。
【００３７】
本実施形態では、このようなユーザー情報を利用することで、ユーザーに対し様々なサービスを提供することができる。
【００３８】
図５は、このユーザー情報の送受信の様子を示した図である。カラオケ店舗に来店したユーザーは、自己のユーザーＩＤとパスワードで構成された識別情報を入力、あるいは、リモコン装置１などに設けられたＩＣカードリーダーでＩＣカードに記憶されている識別情報を読み取らせることで認証処理Ｓ１０１を実行する。ユーザーの識別情報を読み取った、コマンダ２あるいはリモコン装置１は、識別情報をカラオケ用ホスト５に送信し（Ｓ１０２）、識別情報を受信したカラオケ用ホスト５は記憶部１に記憶されたデータベースから、該当するユーザーのユーザー情報を抽出し（Ｓ１２１）、問い合わせのあったコマンダ２あるいはリモコン装置１に対して送信する（Ｓ１２２）。
【００３９】
ユーザー情報を受信したコマンダ２側では（Ｓ１０３）、受信したユーザー情報に基づいて、選曲処理、演奏処理など各種サービス処理が提供される（Ｓ１０４）。ユーザーによりログアウトが要求される（Ｓ１０５）とサービス処理を中断し、サービス処理中における各種履歴（ログ）、あるいは、ユーザーによる設定変更を反映したユーザー情報をカラオケ用ホスト５に送信する（Ｓ１０６）。ここで、ユーザー情報は、全ての情報を送信することの他、更新された差分だけを送信してもよい。カラオケ用ホスト５では、受信したユーザー情報中のアプリ関連情報に基づいて、レイアウト変更処理（Ｓ２００）を実行する。具体的には、アプリ関連情報中の使用ログ情報に基づいて、レイアウト情報を変更する。レイアウト変更処理（Ｓ２００）を実行後、ユーザー情報は記憶部５１に更新記憶される（Ｓ１２４）。
【００４０】
以上、１ユーザーが認証処理（ログイン）してから、ログアウトするまでの流れを説明したが、本実施形態のコマンダ２、リモコン装置１は、認証された複数人（認証ユーザー）が同時にログインした状態で使用することが可能となっており、図３で説明したユーザーインターフェイスを用いることで、サービスを提供するユーザー（以下、「アクティブユーザー」という）を切り替えて使用することが可能となっている。
【００４１】
図６は、本発明の実施形態に係るアクティブユーザー画面を示す図である。この図に示
されるように、複数人がログインした状態ではログインユーザー欄１０３にログインしたユーザーの分身像１０３ａ〜１０３ｅ（本実施形態では顔部分）が表示される。またログインユーザー欄１０３中、右端に背景がハイライトで示されるユーザーは、アクティブユーザー１０３ｅであって、図に示す状態では、このアクティブユーザー１０３ｅに対するサービス、すなわち、アクティブユーザー１０３ｅのユーザー情報を利用したサービスが実行されている状態となっている。
【００４２】
このアクティブユーザー画面には、各種アプリを実行するための機能選択アイコン１０６が配置されている。機能選択アイコン１０６としては、楽曲名で楽曲を検索するための「楽曲検索」、歌手名で楽曲を検索するための「歌手検索」、ユーザー情報中のマイうたテーブルを利用して楽曲を選択するための「マイうた」、ユーザー情報中のマイアーティストテーブルを利用して楽曲を選択するための「マイアーティスト」、ユーザー情報中の履歴テーブルを利用して楽曲を選択するための「マイりれき」、歌唱する楽曲について採点情報を競う「全国採点」などがある。なお、他にも各種アプリが考えられるが、ここでは、他の機能選択アイコン１０６について、「機能」という記載の後に番号を付したものにて簡易表記している。ユーザーは機能選択アイコン１０６を操作部１７で操作（操作部１７がタッチパネルの場合には、機能選択アイコン１０６に触れることとなる）することでアプリを起動し所望の処理が実行される。
【００４３】
この画面には、１つのページ画面１０４に１５個の機能選択アイコン１０６が表示されているが、ユーザーは、ページ切替スイッチ１０５を操作することで、ページ画面１０４を切り替え、さらなる機能選択アイコン１０６を表示させることが可能となっている。
【００４４】
図７は、本発明の実施形態に係るページ画面を説明するための図であって、全てのページ画面１０４−１〜１０４−３を連続して表記した図となっている。図６の表示状態は、図７におけるページ画面１０４−１が表示された状態となっている。なお、ユーザー切替時には、ページ画面１０４−１がトップ画面として最初に表示されることとなる。なお、本実施形態では、機能選択アイコン１０６の大きさを変更することが特徴であるが、ここでは、全ての機能選択アイコンを同一の大きさで表示している。ユーザーは、図６のページ切替スイッチ１０５を操作することで、ページ画面１０４−２、ページ画面１０４−３に順次切り替え、所望の機能選択アイコン１０６を操作し、対応するアプリを起動することができる。
【００４５】
ここで、本発明の実施形態に係るアプリの１つとして履歴選曲機能を説明しておく。図８は、本発明の実施形態に係る履歴選曲画面を示す図であり、図９は、本発明の実施形態に係る楽曲確認画面を示す図である。図６に表示されている「マイりれき」と表記された機能選択アイコン１０６が操作された場合、アプリとしての履歴選曲機能が実行される。この履歴選曲機能は、図４で説明したユーザー情報中の履歴テーブルを利用した選曲であって、ユーザーが以前に選曲した楽曲の中から選曲することができる。
【００４６】
「マイりれき」と表記された機能選択アイコン１０６が操作されると、図８の履歴選曲画面に推移する。この図に示されるように過去に選曲した楽曲が選曲順に表示される。ユーザーは再度楽曲を歌唱したい場合、この履歴選曲画面に表示された楽曲から選曲できる。履歴選曲画面で楽曲が選択されると、楽曲の歌手名、曲名、歌い出しなどを表示させて、楽曲の指定に間違いないかを確認させる楽曲確認画面（図９）が表示される。間違いない場合には、画面右下に表示されている予約ボタンが操作され、当該楽曲の演奏予約が実行される。
【００４７】
なお、この楽曲確認画面では、各種情報が表示される以外に、表示される歌手（アーティスト）をマイアーティストテーブルに登録することや、表示される楽曲（曲名）をマイ
うたテーブルに登録すること、また、演奏する際のキー（音程）設定を行うことが可能とされている。これらの登録、設定は、該当する機能が表記されたボタンを操作することで実行される。
【００４８】
以上、機能選択アイコン１０６が操作されたときに起動するアプリの１つとして、履歴選曲機能について説明したが、他の機能選択アイコン１０６についても対応する機能が実行される。また、機能選択アイコン１０６が選択される度に、アプリ関連テーブル中の使用ログ情報が更新される。この使用ログ情報には、機能選択アイコン１０６を選択した日時、時刻を順次記憶したものとしてもよいし、簡易には、指定回数を更新することとしてもよい。
【００４９】
では、このようなページ画面１０４に表示される機能選択アイコン１０６の大きさや配置位置を変更するレイアウト変更処理について説明する。図１０は、本発明の実施形態に係るレイアウト変更処理を示すフロー図である。
【００５０】
図５で説明したように、本実施形態のレイアウト変更処理は、ユーザーがログアウトしたときにカラオケ用ホスト５にて実行され、変更されたレイアウトは、次回、ユーザーがログインしたときに反映されることとなる。レイアウト変更処理は、このようにカラオケ用ホスト５で実行する以外にコマンダ２、あるいは、リモコン装置１で実行することとしてもよい。
【００５１】
カラオケ用ホスト５がコマンダ２からユーザー情報を受信すると、レイアウト変更処理が開始される（Ｓ２０１）。この処理では、受信したユーザー情報から各アプリについての使用ログ情報が取得される（Ｓ２０２）。次に、取得した使用ログ情報に基づいて、機能選択アイコン１０６の大きさを変更すべきか否かが判定される（Ｓ２０３）。本実施形態では、使用ログ情報に記憶している過去所定期間分（例えば、１年間）の起動回数を使用頻度として算出し、前回のレイアウト情報と比較して機能選択アイコン１０６の大きさを変更すべきものが有るか否かを判定する。
【００５２】
図１２には、本発明の実施形態に係る機能選択アイコン１０６の各種形態（大きさ）が示されている。本実施形態では、過去１年間分の起動回数を使用頻度として算出し、９回以上であれば高頻度と判定し、機能選択アイコンの大きさを大きく、４〜８回であれば中頻度と判定し、機能選択アイコン１０６の大きさを中程度に、３回以下であれば低頻度と判定し、機能選択アイコン１０６の大きさを小さくしている。このように機能選択アイコン１０６の指定回数、すなわち、対応するアプリの起動回数に基づいて、機能選択アイコン１０６の大きさが決定される。なお、使用ログ情報として指定回数を累積した場合には、所定の閾値に基づいて大きさが決定される。
【００５３】
大きさを変更すべき機能選択アイコン１０６が存在しないと判定されたとき（Ｓ２０３：Ｎｏ）は、レイアウト変更処理を終了する。次回、ログインしたときには各機能選択アイコン１０６は、前回と同じレイアウトで表示されることとなる。一方、大きさを変更すべき機能選択アイコン１０６が存在すると判定されたとき（Ｓ２０３：Ｙｅｓ）は、例えば図１２に示される規則にしたがって、機能選択アイコン１０６の大きさが変更される。次に、機能選択アイコン１０６の大きさを変更したときに、同じページ画面１０４に表示される機能選択アイコン１０６が収まるか否かが判定される（Ｓ２０５）。
【００５４】
図１１は、本発明の実施形態に係るレイアウト変更処理を説明するための図であって、「マイりれき」の使用頻度が高く、当該機能選択アイコン１０６−１を拡大表示すべき場合が示されている。破線１０６−Ｌは、拡大後の機能選択アイコン１０６−１を示したものである。この図からも分かるように、機能選択アイコン１０６−１を拡大した場合、隣
接する他の機能選択アイコン１０６−２、１０６−３、１０６−４と重なってしまうため、このままでは全ての機能選択アイコン１０６を同じページ画面１０４−１内に表示することができない。このような場合がページ画面１０４内に収まらない場合として判定されることとなる（Ｓ２０５：Ｎｏ）。
【００５５】
このような場合、同じページ画面１０４内に存在する機能選択アイコン１０６の中から、移動させる機能選択アイコン１０６が選択される（Ｓ２０６）。破線１０６−Ｌのように機能選択アイコン１０６−１を大きくした場合、単純には、機能選択アイコン１０６−２、１０６−３、１０６−４を、他のページ画面１０４に移動させることが考えられる。しかしながら、本実施形態では、機能選択アイコン１０６に優先度（同順位のものがあってもよい）を持たせ、優先度の低い機能選択アイコン１０６を移動すべきものとして選択することとしている。
【００５６】
この例のようにページ画面１０４−１から３つの移動すべき機能選択アイコン１０６を選択する場合、マイアーティスト１０６−２は、他の機能選択アイコン１０６と比較して優先度が高く設定されているため、移動の対象からは除外されることとなる。そして、ページ画面１０４−１において、優先度の低い機能選択アイコン１０６−３、１０６−４、１０６−５が移動の対象として選択される。なお、優先度としては、ページ画面１０４からの移動を禁止した機能選択アイコン１０６を設定することも可能である。例えば、「楽曲検索」、「歌手検索」のように常にトップ画面に表示させたい機能選択アイコン１０６については、移動の対象としない。
【００５７】
図１３は、本発明の実施形態に係るレイアウト変更処理を説明するための図であって、図１１についてレイアウト変更処理を実行した後のレイアウトが示されている。機能選択アイコン１０６−Ｌは、使用頻度が高いと判定されたことで図に示すように拡大され、ページ画面１０４−１において一際目立った存在となる。また、リモコン装置１の操作部１７としてタッチパネルを利用する場合には、その大きさ故、操作性の向上が図られることとなる。一方、Ｓ２０６で移動すべきと判定された機能選択アイコン１０６−３、１０６−４、１０６−５は、空きのあるページ画面１０４−３に移動される（Ｓ２０７）。本実施形態では、このように移動先として空きのあるページ画面１０４−３に移動することとしたが、前述した各機能選択アイコン１０６の優先度に基づいて、移動先を決定してもよい。例えば、他の機能選択アイコン１０６との優先度の関係に基づいて、移動先をページ画面１０４−２内とし、さらに、ページ画面１０４−２内の優先度の低い機能選択アイコン１０６を、空きのあるページ画面１０４−３に移動させることも考えられる。
【００５８】
さらに、機能選択アイコン１０６の移動時において、ページ画面１０４−１内に位置する機能選択アイコン１０６以外の他の機能選択アイコン１０６全てを比較し、全体レイアウトを変更するという処理を行ってもよい。その際、優先度は高い（例えば３位）が使用頻度は低い（例えば３回）機能選択アイコン１０６と、使用頻度は高い（例えば、１０回）が優先度は低い（例えば１５位）機能選択アイコン１０６が存在した場合、レイアウト変更処理判断に優先度のみを判断基準とすると、使用頻度が高い機能選択アイコン１０６が最終ページ（例えばページ画面１０４−３）等に移動させることは、ある直近一定期間においてよく使用する機能選択アイコン１０６の探索が、逆に困難になるという事象が起きてしまう。そのため、「原則使用頻度を優先し、使用頻度が同値であった場合のみ優先度を参照する」という判断ルールを適用することとしてもよい。
【００５９】
以上の処理が終了すると、Ｓ２０８にてレイアウト情報を更新して処理を終了する。一方、機能選択アイコン１０６の数が少なく、ページ画面１０４内に拡大する余裕がある場合であって、拡大した場合においてもページ画面１０４内に収まる場合（Ｓ２０５：Ｙｅｓ）においても、レイアウト情報を更新して処理を終了する。
【００６０】
以上、レイアウト変更処理について、機能選択アイコン１０６の大きさを拡大することについて説明したが、使用頻度が低下した場合などにおいては、機能選択アイコン１０６を縮小することとしてもよい。また、本実施形態では、カラオケシステムにおいて使用されるリモコン装置１のユーザーインターフェイスとして説明したが、このようなリモコン装置１のみならず、携帯情報端末など、ユーザーインターフェイスとして機能選択アイコンを利用する各種情報処理装置について利用することができる。さらに、そのような情報処理装置に対して実行される情報処理プログラムについても本発明の対象となるものである。
【００６１】
以上、本発明の一実施形態について説明したが、本発明は、他の構成を有するカラオケシステムに対しても使用することが可能である。図１４は、本発明の他の実施形態に係るカラオケシステムで使用されるコマンダ２の正面図を示したものである。コマンダの正面となるフロントパネルの左右両側には、各種スイッチ、ボリュームなど、ユーザーからの各種操作を受け付ける操作部２１が配置されている。また、フロントパネル中央にはタッチパネルモニタ３３が配置されている。
【００６２】
図１５には、この他の実施形態に係るコマンダ２の構成を示すブロック図が示されている。図１５のコマンダ２のブロック図は、タッチパネルモニタ３３の構成を除き、図２で説明したコマンダ２と同様の構成である。図２で説明したコマンダ２と同様に、コマンダ２の外部に接続されたモニタ４２に対して、歌詞表示など各種視覚的情報を表示することを可能としている。さらに、このコマンダ２では、外部に接続されたモニタ４１以外に、上述したタッチパネルモニタ３３に対しても各種情報を表示することを可能としている。タッチパネルモニタ３３は映像制御部３１から入力された映像情報を表示する表示部３３ｂと、タッチ入力された位置を操作処理部２２に出力するタッチパネル３３ａが重畳されて構成されている。
【００６３】
したがって、タッチパネルモニタ３３に表示される機能選択アイコン１０６、スイッチ、スライダなどのオブジェクトをタッチ操作することで、制御部３０は、表示させたオブジェクトに応じた処理を行うことが可能となっている。
【００６４】
本実施形態では、このタッチパネルモニタ３３に対して、外部に接続されたモニタ３３と同様、演奏されている楽曲の歌詞表示を行うことが可能となっている。その際、モニタ４１と同一画面の歌詞表示を行うこととしてもよいが、タッチパネルモニタ３３は、モニタ４１と比較して小さい画面であるため、歌詞文字を大きく表示したり、背景映像を使用しないなど、モニタ４１とは異なる形態で歌詞表示を行うこととしてもよい。
【００６５】
さらに、本実施形態のタッチパネルモニタ３３は、リモコン装置１の操作手段と同様の操作手段として機能することも可能としている。ユーザーはタッチパネルモニタ３３から楽曲を選択して、直接コマンダ２に予約をさせるなど、リモコン装置１と同等の操作手段機能を利用することが可能である。前述した歌詞表示機能と、この操作手段機能との切り替えは、コマンダ２のフロントパネルに配置された操作部２１に対し所定の操作を行うことで切り替えられる。また、コマンダ２における楽曲演奏時には、歌詞表示機能に自動で切り替えることとしてもよい。なお、演奏中であってタッチパネルモニタ３３に歌詞表示されている場合においても、操作部２１の操作にて操作手段機能に切り替えることも可能である。
【００６６】
本発明は、カラオケシステムにおけるリモコン装置１などの情報処理装置において、そのインターフェイス部分に特徴を有するものであった。本発明は、このコマンダ２のタッチパネルモニタ３３に対しても適用することが可能である。図１４のコマンダ２に本発明
を適用した場合、タッチパネルモニタ３３に表示される機能選択アイコン１０６の指定回数に基づいて、機能選択アイコン１０６を拡大すると共に、拡大に応じて表示しきれなくなった機能選択アイコン１０６を他のページに移動させることとなる。このような構成により、コマンダ２を使用する際、使用頻度の高い機能選択アイコン１０６を効果的にユーザーに視認させ、使い勝手の向上を図ることが可能となる。
【００６７】
ところで、スナックなどのナイト店では、コマンダ２はカウンター内など、従業員のみが操作可能な位置に置かれることがある。このような形態の店舗では、従業員、及び、来店した顧客は、共にリモコン装置1を使用して選曲を行うことが通常であった。このよう
な形態の店舗において、図１４のようなコマンダ２を導入した場合、タッチパネルモニタ３３を使用して、リモコン装置１と同様の操作が可能となる。したがって、ママさんや従業員は、コマンダ２を直接操作することで、楽曲の予約などを行うことが可能となる。したがって、リモコン装置１は顧客専用とすることが可能となり、店舗内における操作性の向上が図られることとなる。
【００６８】
このようなナイト店向けの機能として、カラオケシステムにおいて管理者用の機能を設けることが考えられる。管理者用の機能では、顧客の来店状況、来店時に歌唱した楽曲の閲覧、あるいは、ユーザー登録している顧客に対するメッセージの送信など、顧客管理に関する各種処理を行うことが考えられる。この管理者用の機能は、ママさんなどその使用が許可されたユーザー（管理者）のみが利用できる機能である。許可されたユーザーは、図６に示されるアクティブユーザー画面中、機能選択アイコン１０６として表示されている管理者メニューを選択することで、この機能を使用することが可能である。
【００６９】
図１６は、本発明の実施形態に係る管理者用メニュー画面を示す図である。この管理者用メニュー画面では、「常連新規登録」など、顧客管理を実行するための各種ボタンが表示されている。「常連新規登録」では、現在店舗内でログインしているユーザーを常連客として登録すること（本発明における「ユーザー登録処理」）を可能としている。常連客として新規登録されたユーザーについては、「常連客一覧」を選択することで、各常連客の来店履歴、歌唱履歴などを閲覧することが可能となっている。この他、常連客に関する各種統計などを表示することとしてもよい。あるいは、常連客に対してメッセージを送信する機能を設けることも可能である。メッセージを受信した常連客は、図６に示されるアクティブユーザー画面などでメッセージを確認することができる。
【００７０】
「常連情報変更・解除」が選択された場合には、顧客管理上、登録された常連客に対して付与した各種情報の変更、あるいは、常連客の登録解除を行うことを可能としている。また、本実施形態では、退店した顧客がログアウトし忘れたときのため、当該顧客をログアウトさせる「退店」機能を有している。なお、このような顧客管理は、その機能上、機密扱いとすることが好ましいため、機能を利用する場合にはパスワード入力などの認証が行われる。「パスワード変更」では、この機能を利用する際、入力を求められるパスワードの変更を行うことが可能である。
【００７１】
この顧客管理用の機能は、店舗内のコマンダ２のみで実行可能とすることとしてもよい。管理者は、カウンター内など顧客の目に触れにくい場所においてこの管理機能を使用することが可能となる。または、リモコン装置１、コマンダ２の両方において使用可能としてもよい。その場合、リモコン装置１、コマンダ２での使用をユーザーの操作によって切り替えられるように構成してもよい。切り替え操作は、リモコン装置１側、あるいは、コマンダ２側に設けられたＯＮ／ＯＦＦボタンによって行うことや、リモコン装置１あるいはコマンダ２で実行されるプログラム中の設定にて行うことが考えられる。
【００７２】
このような顧客管理用の機能を備えたカラオケシステムにおいては、店舗のママさんな
どの管理者は、顧客の動向を把握することが可能となる。本実施形態は、このようなカラオケシステムに対して、本発明を適用したものであって、顧客の利用動向をインターフェイスに反映させることを可能としたものである。
【００７３】
図１７は、本発明の他の実施形態に係るレイアウト変更処理を示すフロー図である。図１０で説明したレイアウト変更処理では、各ユーザーのユーザー情報中の使用ログ情報に基づいて、当該ユーザーに対して表示される機能選択アイコン１０６の大きさ、レイアウトを変更するものであった。本実施形態では、登録した顧客のユーザー情報中の使用ログ情報（本発明における「履歴情報」）に基づいて、機能選択アイコン１０６の大きさやレイアウトを変更することとしている。このような構成により、ママさんなどの管理者は、どの機能選択アイコン１０６が利用されているかを視覚的に把握することが容易となり、顧客の動向を掴みやすくなる。
【００７４】
この場合、ユーザー登録処理によって登録したユーザーの使用ログ情報をそのまま集計に用いることとしてもよいが、当該使用ログ情報の内、同じ店舗で使用したときの使用ログ情報のみを集計することとしてもよい。ユーザーは複数の店舗においてログインしてリモコン装置１を利用することが可能である。例えば、カラオケボックスなどのデイ店と、スナックなどのナイト店においては、機能選択アイコン１０６の使用傾向が異なることが予想される。ナイト店の管理者は自店舗における機能選択アイコン１０６の利用傾向を知りたいところであるが、通常のカラオケ店舗などの他店舗の利用傾向を一緒に集計した場合、ノイズになることが予想される。
【００７５】
このような場合、使用ログ情報中にどの店舗で使用したかを示す店舗情報を含めておくことで、同じ店舗で使用したときの使用ログ情報のみを集計することが可能である。店舗情報毎に使用ログ情報を集計（例えば週１回などの所定期間毎）し、対応する店舗の管理者のアクティブユーザー画面に反映させることで、当該店舗での機能選択アイコン１０６の利用状況を反映させ、より正確にユーザーの利用動向を把握することが可能となる。なお、１つの店舗で集計された使用ログ情報を、当該店舗のみに反映させる以外に、１店舗での利用状況を、予め設定した複数の店舗（グループ店舗）に反映させることとしてもよい。グループ店舗としては、ナイト店あるいはデイ店といった同種の店舗、あるいは、同じチェーンの店舗など適宜設定することが可能である。。
【００７６】
図１７に示されるレイアウト変更処理では、図１０において自分のユーザー情報を使用していたのに対して、登録した顧客、すなわち、対象ユーザーのユーザー情報を使用する点において異なっている。ここで対象ユーザーとは、図１６の「常連新規登録」などを使用して管理者が事前に登録したユーザーであって、管理者が動向を把握したい対象となるユーザーのことをいう。図１７のフロー図中、Ａで示されるＳ２０２ａ〜Ｓ２０２ｃの点において、図１０のフロー図と異なっている。その他の処理については、図１０のフロー図と同様である。
【００７７】
Ｓ２０２ａでは、対象ユーザーのユーザー情報が取得される。コマンダ２は、通信手段としてのインターフェイス部２４を介して、インターネットに接続されたカラオケ用ホスト５から対象ユーザーのユーザー情報を取得（Ｓ２０２ａ）し、その内の使用ログ情報を取得する（Ｓ２０２ｂ）。複数の対象ユーザーの使用ログが取得された場合、各機能選択アイコン毎の指定回数が集計される（Ｓ２０２ｃ）。集計された指定回数は、Ｓ２０３以降の処理にて、管理者が利用する画面中の機能選択アイコン１０６の大きさやレイアウト変更に使用される。
【００７８】
このように複数の対象ユーザーの指定回数を集計した場合、各機能選択アイコン１０６の指定回数は、多くなることが予想される。したがって、機能選択アイコン１０６の拡大
を行う際は、図１２にて説明したように機能選択アイコン１０６の大きさを所定の閾値で判定することに代え、全ての機能選択アイコン１０６の使用回数に対する各機能選択アイコン１０６の使用回数の比で決定することとしてもよい。すなわち、全指定回数に対する相対的な指定回数によって、各機能選択アイコン１０６の大きさが決定されることとなる。この決定手法は、前述した実施形態に対しても使用可能である。
【００７９】
図１８には、本発明の他の実施形態に係るレイアウト変更処理を説明するための図が示されている。図１８（Ａ）、（Ｂ）は対象ユーザーの表示画面を示した図である。図１８（Ａ）は、Ａさんの表示画面、図１８（Ｂ）さんの表示画面が示されている。各ユーザーの表示画面では、機能選択アイコン１０６の指定回数に基づいて、その大きさが変更された状態となっている。例えば、図１８（Ａ）では、Ａさんの指定回数に基づいて「全国採点」が大きい機能選択アイコン１０６−Ｌとして表示されている。また、図１８（Ｂ）では、Ｂさんの指定回数に基づいて「機能５」などが中程度の大きさの機能選択アイコン１０６−Ｍとして表示されている。このような機能選択アイコン１０６の大きさの変更は、各ユーザーの自分の使用ログ情報に基づいて実行されたものである。
【００８０】
本実施形態では、これら対象ユーザーの使用ログ情報を集計し、管理者の表示画面の機能選択アイコン１０６の大きさに反映させることとしている。なお、対象ユーザーは、図１８（Ａ）、（Ｂ）のみならず、多数存在することが想定される。図１８（Ｍ）は、ママさんなどの管理者の表示画面を示した図である。この表示画面に示される機能選択アイコン１０６中、「全国採点」などが、中程度の大きさの機能選択アイコン１０６−Ｍとして表示されている。これは、図１８（Ａ）、（Ｂ）など、対象ユーザーの使用ログ情報に基づいてレイアウト変更処理が実行された結果である。
【００８１】
なお、図１８（Ｍ）に示される管理者が使用する画面においては、「管理者メニュー」を表示するための機能選択アイコン１０６−６が表示されている。この機能選択アイコン１０６−６を選択することで、図１６に示される管理者メニュー画面を表示させ、顧客管理を行うことが可能となっている。このような機能選択アイコン１０６−６は、顧客によって指定あるいは使用することができないこととされているが、管理者にとっては使用頻度の多い機能選択アイコン１０６となる。したがって、このような管理者に特化された機能選択アイコン１０６−６については、対象ユーザーの指定回数を反映させることなく、優先的にトップ画面などに表示させておくことが好ましい。
【００８２】
以上、本実施形態は、他のユーザーによる機能選択アイコン１０６の指定回数を記録した使用ログ情報（本発明における「履歴情報」）を集計し、機能選択アイコン１０６の拡大などのレイアウト変更に使用したものである。このような構成により、管理者などは、登録したユーザーにより、どの機能選択アイコン１０６が多く利用されているかといった、ユーザーの利用動向を容易に視認することが可能となる。
【００８３】
なお、本実施形態では、図１６の「常連新規登録」で説明したように、店舗に来店した顧客のみを登録可能としたユーザー登録処理となっている。ユーザー登録処理は、顧客を一人一人登録する形態に限らず、ネットワーク上の所定範囲を指定することで登録することとしてもよい。例えば、ネットワークの範囲を店舗内と指定しておくことで、来店してログインした顧客を自動で登録することが可能となる。あるいは、系列店舗のような場合、各店舗のネットワークを指定することで、系列店舗全ての利用状況、あるいは、店舗毎の利用状況を機能選択アイコン１０６の大きさに反映させることが可能となる。
【００８４】
なお、本発明はこれらの実施形態のみに限られるものではなく、それぞれの実施形態の構成を適宜組み合わせて構成した実施形態も本発明の範疇となるものである。
【符号の説明】
【００８５】
１…リモコン装置、１１…表示部、１２…ビデオＲＡＭ、１３…映像制御部、１４…メモリ、１５…制御部、１６…無線ＬＡＮ通信部、１７…操作部、１８…操作処理部、１９…赤外線通信部、２…コマンダ（カラオケ装置）、２１…操作部、２２…操作処理部、２３…赤外線通信部、２４…インターフェイス部、２５…音声制御部、２６…ＭＩＤＩ音源、２７…メモリ、２８…ビデオＲＡＭ、２９…映像再生部、３０…制御部、３１…映像制御部、３２…ハードディスク、４１…モニタ、４２…スピーカー、４３…カメラ、４４ａ、４４ｂ…歌唱用マイク、１００…ＬＡＮ、１１０…アクセスポイント、１２０…ルータ、５…カラオケ用ホスト、５１…第１記憶部、５２…Ｗｅｂサーバ、６…インターネット用ホスト、６１…第２記憶部、６２…Ｗｅｂサーバ、１０４…ページ画面、１０５…ページ切替スイッチ、１０６…機能選択アイコン
【図１】
0005921032.tif 000002
【図２】
0005921032.tif 000003
【図３】
0005921032.tif 000004
【図４】
0005921032.tif 000005
【図５】
0005921032.tif 000006
【図６】
0005921032.tif 000007
【図７】
0005921032.tif 000008
【図８】
0005921032.tif 000009
【図９】
0005921032.tif 000010
【図１０】
0005921032.tif 000011
【図１１】
0005921032.tif 000012
【図１２】
0005921032.tif 000013
【図１３】
0005921032.tif 000014
【図１４】
0005921032.tif 000015
【図１５】
0005921032.tif 000016
【図１６】
0005921032.tif 000017
【図１７】
0005921032.tif 000018
【図１８】
0005921032.tif 000019